(57)【特許請求の範囲】
【請求項１】
閃光発光装置を発光する発光モードを備えたカメラにおいて、
撮影用レンズとハーフミラーと接眼レンズとを介して、被写体像を観察可能なファインダー光学系と、
前記撮影用レンズと前記ハーフミラーとを介して、前記ファインダー光学系での前記被写体像の観察を遮ることなく該被写体像を撮像する撮像素子と、
前記ファインダー光学系とは独立して設けられており、前記撮像素子で撮像された被写体像を表示する表示装置と、
前記表示装置に前記被写体像を表示する際に、該被写体像の表示輝度を制御することにより、前記閃光発光装置の発光を伴う撮影で得られる被写体像と同等の被写体像を該表示装置に表示させる制御装置と、
撮影に先立って前記閃光発光装置を予備的に発光させ、その予備発光時に被写界からの光束を複数の領域毎に分割して受光する分割受光手段とを有し、
前記発光モードは、所定のシャッタースピードよりも高速のシャッタースピードで前記閃光発光装置を発光する通常発光モードと、前記所定のシャッタースピードよりも低速のシャッタースピードで前記閃光発光装置を発光するスローシンクロモードとを含み、
前記制御装置は、
前記分割受光手段によって得られた光情報に基づいて、前記被写界に対応する領域を、前記被写界内に存在する被写体のうち前記閃光発光装置からの閃光が実質的に到達可能な距離に存在する被写体が存在する第１領域と、前記閃光発光装置からの閃光が実質的に到達不可能な距離に存在する被写体が存在する第２領域とに分別するとともに、
前記発光モード時に、前記第２領域の明るさを前記第１領域の明るさよりも暗く表示するように前記表示装置を制御し、
前記スローシンクロモード時における前記第２領域の表示を、前記通常発光モード時における前記第２領域の表示よりも明るく表示するように、前記表示装置を制御することを特徴とするカメラ。
【請求項２】
前記制御装置は、前記スローシンクロモード時には、前記第１領域と前記第２領域とをほぼ等しい明るさに表示するように前記表示装置を制御することを特徴とする請求項１に記載のカメラ。
【請求項３】
前記制御装置は、前記閃光発光装置の発光を伴わずに撮影を行う場合には、前記第２領域を、前記スローシンクロモード時における前記第２領域の表示よりもさらに明るく表示するように前記表示装置を制御することを特徴とする請求項１または２に記載のカメラ。
【請求項４】
前記被写界に対応する領域を、複数の領域に、或いはマトリクス状に分けて、それぞれの領域毎の被写体輝度を測定する測光手段と、
撮影に先立って前記閃光発光装置を予備的に発光せしめて、その予備発光時に前記被写界からの光束を前記測光手段で受光し、その受光結果に基づいて前記第１領域と前記第２領域とを分別する分別手段と、を更に有することを特徴とする請求項１から３のいずれか一項に記載のカメラ。
【請求項５】
前記撮像素子は、前記測光手段と兼用されることを特徴とする請求項４に記載のカメラ。
【請求項６】
前記制御装置は、前記表示装置の画素ごとの輝度を制御することを特徴とする請求項１から５のいずれか一項に記載のカメラ。
【請求項７】
前記表示装置は、カメラ背面に設けられていることを特徴とする請求項１から６のいずれか一項に記載のカメラ。
【発明の詳細な説明】
【技術分野】
【０００１】
本発明は閃光発光モードを備え、閃光発光装置を制御する発光制御部と、被写界の像を表示する表示装置とを備えたカメラに関する。
【背景技術】
【０００２】
従来より、閃光発行装置を発光する発光モードを備え、前記閃光発光装置を制御する発光制御部とを備えたカメラはよく知られているところである。
【０００３】
また従来より、所定のシャッタスピードよりも高速のシャッタスピードでふつうの閃光発光撮影を行い、背景が暗い場合などに上記所定のシャッタスピードよりも低速のシャッタスピードで閃光発光装置を発光させて背景の光を閃光照明された主被写体に対してバランス良く露光させる、いわゆるスローシンクロ撮影のできるカメラが知られている。
【０００４】
さらにまた、従来より、角速度センサ等により手振れを測定し、その信号に基づいて光学系の一部をアクチユエータによって駆動することにより、像面での像のぶれを抑える、手振れ補正装置が知られている。この様な手振れ補正装置を備えたカメラにおいては通常よりも遅いシャッタースピードで手持ち撮影を行っても像のぶれが少ない。特にこの様な手振れ補正装置と閃光発光装置を備え、スローシンクロ撮影が可能なカメラにおいては、簡単に手持ちでスローシンクロ撮影が行える。
【発明の開示】
【発明が解決しようとする課題】
【０００５】
閃光発光撮影可能なカメラで、通常の閃光撮影を行なうと、タ暮れ時や夜など被写体が暗いときには、閃光の届く比較的近距離の被写体は適正もしくは明るく写り、閃光の届かない遠くの被写体は近距離の被写体にたいして暗いので、できてくる写真は実際に眼でファインダを見ているときより背景が暗くなることが多い。そのため撮影意図として背景を写し込みたいときにはうまく写らず不適当となる。しかしこのことを撮影時に撮影者に直感的に伝える表示手段がなかった。
【０００６】
また、スローシンクロ撮影可能なカメラでスローシンクロ撮影を行うと、タ暮れ時や夜など被写体が暗いときでも、通常の閃光撮影時に比ベ、主被写体と背景のバランスのとれた写真が撮影可能である。スローシンクロ撮影を行うと近距離にある被写体は閃光により明るく写り、遠距離にある被写体はある程度長い時間の露光により通常の閃光撮影より明るく写る。これによりスローシンクロ撮影を行うと通常の閃光撮影に比ベ、背景と主要被写体の露出バランスのよい、眼で見た画像に近い画像を撮影することができる。ところがこの効果は写真を現像してからでないと画像として確認することができず、撮影時に撮影者に直感的に伝える表示手段はなかった。
【０００７】
また閃光発光装置を備えスローシンクロ撮影可能でかつ、手ぶれ補正装置を備えるカメラでは、手ぶれ補正を行うと、手持ちで簡単に、ぶれることなしにスローシンクロ撮影することができる。スローシンクロ撮影時にはシヤッタースピードが遅くなるので、手振れが起きやすくなり、ある程度より暗い被写体にたいしては三脚を用いなければならなかったが、上述の手ぶれ補正装置を使用することにより手持ち撮影でも簡単にスローシンクロ撮影を行うことができ、大きな効果がある。しかし従来は撮影時に撮影者にこの効果を直感的に伝えることができる適切な表示装置がなかった。
【０００８】
特にレンズシャッターカメラなど撮影用の光学系とファインダ光学系が別になっているカメラにおいては、手ぶれ補正光学系は撮影用の光学系にのみ組み込まれているのが通常であり、この場合一眼レフカメラのようにファインダ上で手ぶれ補正装置の効果を確認することはできなかった。また一眼レフカメラにおいても、手ぶれ補正装置とスローシンクロ撮影の組み合わせによる効果を画像的に伝える表示手段はなかった。
【０００９】
本発明の目的はこれらの現象や効果を、撮影時に撮影者に直感的に伝えることのできる表示装置を提供することにある。
【課題を解決するための手段】
【００１０】
本発明によれば、閃光発光装置を発光する発光モードを備えたカメラにおいて、撮影用レンズとハーフミラーと接眼レンズとを介して、被写体像を観察可能なファインダー光学系と、前記撮影用レンズと前記ハーフミラーとを介して、前記ファインダー光学系での前記被写体像の観察を遮ることなく該被写体像を撮像する撮像素子と、前記ファインダー光学系とは独立して設けられており、前記撮像素子で撮像された被写体像を表示する表示装置と、前記表示装置に前記被写体像を表示する際に、該被写体像の表示輝度を制御することにより、前記閃光発光装置の発光を伴う撮影で得られる被写体像と同等の被写体像を該表示装置に表示させる制御装置と、撮影に先立って前記閃光発光装置を予備的に発光させ、その予備発光時に被写界からの光束を複数の領域毎に分割して受光する分割受光手段とを有し、前記発光モードは、所定のシャッタースピードよりも高速のシャッタースピードで前記閃光発光装置を発光する通常発光モードと、前記所定のシャッタースピードよりも低速のシャッタースピードで前記閃光発光装置を発光するスローシンクロモードとを含み、前記制御装置は、前記分割受光手段によって得られた光情報に基づいて、前記被写界に対応する領域を、前記被写界内に存在する被写体のうち前記閃光発光装置からの閃光が実質的に到達可能な距離に存在する被写体が存在する第１領域と、前記閃光発光装置からの閃光が実質的に到達不可能な距離に存在する被写体が存在する第２領域とに分別するとともに、前記発光モード時に、前記第２領域の明るさを前記第１領域の明るさよりも暗く表示するように前記表示装置を制御し、前記スローシンクロモード時における前記第２領域の表示を、前記通常発光モード時における前記第２領域の表示よりも明るく表示するように、前記表示装置を制御することを特徴とするカメラを提供する。
【００１３】
また、請求項２に記載の発明によれば、前記制御装置は、前記スローシンクロモード時には、前記第１領域と前記第２領域とをほぼ等しい明るさに表示するように前記表示装置を制御することを特徴とするカメラを提供する。
【００１４】
また、請求項３に記載の発明によれば、前記制御装置は、前記閃光発光装置の発光を伴わずに撮影を行う場合には、前記第２領域を、前記スローシンクロモード時における前記第２領域の表示よりもさらに明るく表示するように前記表示装置を制御することを特徴とするカメラを提供する。
【００１５】
また、請求項４に記載の発明によれば、前記被写界に対応する領域を、複数の領域に、或いはマトリクス状に分けて、それぞれの領域毎の被写体輝度を測定する測光手段と、撮影に先立って前記閃光発光装置を予備的に発光せしめて、その予備発光時に前記被写界からの光束を前記測光手段で受光し、その受光結果に基づいて前記第１領域と前記第２領域とを分別する分別手段と、を更に有することを特徴とするカメラを提供する。
【００１６】
また、請求項５に記載の発明によれば、前記撮像素子は、前記測光手段と兼用されることを特徴とするカメラを提供する。
また、請求項６に記載の発明によれば、前記制御装置は、前記表示装置の画素ごとの輝度を制御することを特徴とするカメラを提供する。
また、請求項７に記載の発明によれば、前記表示装置は、カメラ背面に設けられていることを特徴とするカメラを提供する。
【発明の効果】
【００１７】
本発明によれば、閃光発光を伴う撮影により実際に撮られる写真と同様な画像を、撮影に際し視認することができる。
【発明を実施するための最良の形態】
【００１８】
先ず、表示装置として、複数に分割された領域ごとの光の透過率を電気的に変化させることのできる透過型表示装置をもったファインダを備える、第１および第２実施の形態を説明する。図１は本発明の第１実施の形態である一眼レフカメラの構成を示す概略図である。図において、１は撮影レンズであり、２はカメラボデイと別体に構成され、カメラボデイの所定位置に取り付けられた閃光装置である。閃光装置はカメラボディに内蔵のものであっても良い。３は閃光装置を取り付けるコネクタ部材、４は閃光装置制御用接点であり、外付けの閃光装置を使うためにはこれらが必要となる。５はカメラボデイ内に設けられたクイックリターンミラーであり、６はファインダースクリーンである。
【００１９】
７は透過型表示部材、８はペンタプリズム、９は被写界を複数領域に分割して測光する多分割測光装置である。１０はファインダー接眼レンズであり、１１は表示装置制御や閃光装置制御などを行なう制御用マイコンである。
【００２０】
図２は本発明の第２実施の形態であるレンズシヤッターカメラの構成を示す概略図である。
【００２１】
図２において、１は撮影レンズであり、２は内蔵型の閃光装置を示している。１２はファインダ光学系であり、７はファインダ光学系内に設けられた透過型表示部材である。９は図１について前述した如き多分割測光装置であり、１１は表示装置制御や閃光装置制御などを行なう制御用マイコンである。
【００２２】
表示装置は図１に示す如き一眼レフカメラの場合、ファインダスクリーン６の位置に近接してフィル夕状の表示部材７を組み込むことにより構成し、図２に示す実像式ファインダを持つカメラの場合、ファインダ光学系のなかで結像の位置にフィルタ状の表示部材７を組み込むことにより構成する。この表示部材としては、被写界を複数の領域に分割するように分かれているか、マトリクス状に分かれており、その部分ごとの光の透過率を電気的に変化させることができるような素子を用いる。この様な素子には液晶表示素子やエレクトロクロミックを使用した素子などがある。
【００２３】
またカメラは、閃光撮影（スローシンクロ撮影も含む）を行った時に被写界のうち閃光の到達可能な距離に被写体がある領域と、閃光の到達不可能な距離に被写体がある領域、すなわち背景を判別する機能を持っている。この機能は例えば、被写界をいくつかの領域またはマトリクス状に分割してそれぞれの領域の被写体輝度を測定するような多分割測光装置９と、閃光撮影の前に強度の小さい発光を行う予備発光を組み合わせることによって可能となる。つまり予備発光を行い、多分割測光装置によって予備発光時の被写体を測光する。閃光の届く距離すなわち閃光の到達可能な距離に被写体がある領域では予備発光時にも被写体で光が反射して輝度が高くなる。 閃光の到達不可能な距離に被写体がある領域では予備発光時にも光が反射せず輝度が小さくなる。
【００２４】
この測光結果より、被写界のうち閃光の到達可能な距離に被写体がある領域と、閃光の到達不可能な距離に被写体がある領域を判別する事ができる。図３に予備発光と多分割測光により閃光の到達可能な領域に被写体のある領域と閃光の到達不可能な領域に被写体のある領域（以下、閃光の届かない領域とも記載する）を判別する様子を示す。２１が閃光の到達可能な領域に被写体のある領域（以下、閃光の届く領域とも記載する）、２２が閃光の届かない領域を示している。またこの機能は被写界のすべての領域の測距を行なうことでも可能である。すなわち距離と閃光発光量とで決まる閃光の届く距離に対して被写体が近いか遠いかによって、閃光の届く領域か届かない領域かを判別する。
【００２５】
上記の方法で求めた閃光の到達可能な距離に被写体の存在する領域に対応する表示装置領域（第１領域）よりも、閃光の届かない被写界領域に対応する、前記表示装置の領域（第２領域）の光の透過率を下げることにより、背景を暗く表示する。図４に表示装置の光の透過率を変化させている様子を示す。２３が暗く表示している第２領域、２４が暗く表示しない第１領域を示している。
【００２６】
前述の様に、タ景や夜景などの撮影時に通常の閃光撮影をすると閃光の到達可能な距離に被写体の存在する領域（以下、近距離に被写体のある領域とも記載する）が背景に対して明るく写り、閃光の到達不可能な距離に被写体の存在する領域（以下、近距離に被写体の無い領域とも記載する）すなわち背景は眼で見る以上に暗く写るので、撮影意図として背景を写し込みたいときには不適当となる。この場合閃光撮影をしなければ背景も写し込むことができる。そこで通常の閃光撮影時では前記表示装置上で近距離に被写体の無い領域を暗く表示し、閃光撮影を行なわない時は全体を比較的明るく表示するようにする。こうすることにより、閃光撮影時に背景が暗くなってしまうことを、撮影時にファインダ上もしくは表示装置上で撮影者に伝えることができる。
【００２７】
この場合の制御の流れを図５に示す。例えばシャッタボタンを半押して電源スイッチを入れることにより、制御フローをスタートする。ステップＳ１１で閃光発光モードかどうか調べる。閃光発光モードでなければステップＳｌ４に進み、表示装置上で被写界全体を比較的明るく表示する。閃光発光モードであればステップＳ１２に進む。ステップＳ１２では近距離に被写体のある領域と、近距離に被写体の無いすなわち背景との判別を行ない、ステップＳ１３に進む。ステップＳ１３では表示装置上で、背景に当たる領域を暗く表示する。
【００２８】
また、前述のようにスローシンクロ撮影を行うと、タ景や夜景などの撮影時でも、背景が通常の閃光撮影時に比べ明るく写り、主被写体と背景のバランスのとれた写真が撮影可能である。そこで通常の閃光撮影時では前記表示装置上で近距離に被写体の無い領域を暗く表示し、スローシンクロ撮影を行なうときには全体を比較的明るく表示するようにする。こうすることにより、撮影結果に近い表示を行なうことができ、スローシンクロ撮影の効果を、撮影時にファインダ上もしくは表示装置上で撮影者に伝えることができる。
【００２９】
この場合の制御の流れを図６に示す。例えば、シャッタボタンを半押しすることにより制御の流れをスタートさせステップＳ２１で閃光発光モードかどうか調べる。閃光発光モードでないとき、ステップＳ２５に進む。閃光発光モードの時はステップＳ２２に進む。ステップＳ２２でスローシンクロ撮影モードかどうか調べる。スローシンクロ撮影モードの時はステップＳ２５に進み、表示装置上で被写界全体を比較的明るく表示する。スローシンクロ撮影モードでなければステップＳ２３に進む。ステップＳ２３では近距離に被写体のある領域と、近距離に被写体の無いすなわち背景との判別を行ない、ステップＳ２４に進む。ステップＳ２４では表示装置上で、背景に当たる領域を暗く表示する。
【００３０】
また、通常の閃光撮影、スローシンクロ撮影、閃光撮影をしない時、の三つの場合を区別して表示するために、表示装置上で、背景を近距離に被写体がある領域に比べて、スローシンクロ撮影時には閃光発光しない時よりも暗く表示し、通常の閃光発光撮影時にはスローシンクロ時よりさらに暗く表示してもよい。
【００３１】
次に、ファインダに液晶ディスプレイなどの表示装置を使用した第３実施の形態について説明する。
【００３２】
図７は第３実施の形態としてのカメラの構成を示す概略図である。図７において、１は撮影用レンズ、５はクイツクリターンミラー、６はファインダスクリーン、８はペンタプリズム、３１はハーフミラー、３２は再結像レンズ、３３は撮像素子、９はファインダ接眼レンズである。
【００３３】
また３４は画像表示装置、３５は画像信号処理回路である。１１は画像信号処理回路３５を介して表示装置制御を行い、また閃光発光制御用接点４を介して閃光装置２の制御を行なう制御用マイコンである。本実施の形態の閃光装置は外付けのものが示されているが、これは内蔵式の閃光発光装置でもよい。
【００３４】
第３実施の形態では、液晶ディスプレイなどの画像表示装置３４を使い、ＣＣＤなどの撮像素子３３で撮像した被写体像を表示する．第１、第２の実施形態と同様に、通常閃光撮影時には画像表示装置上で閃光の届かない距離に被写体がある領域を暗く表示する。また液晶ディスプレイなどの画像表示装置を使えば、閃光の届く距離に被写体のある領域を逆に明るく表示し、相対的に背景を暗くすることも可能である。
【００３５】
第３実施の形態においても第１、第２実施の形態と同様に、閃光撮影を行った場合、被写界のうち閃光の届く距離に被写体がある領域と、閃光の届かない距離に被写体がある領域、すなわち背景を判別する機能を持っている。この機能は第１実施の形態と同様に、多分割測光装置と、閃光撮影の前に強度の小さい発光を行う予備発光を組み合わせることによって可能となる。多分割測光装置としては、第１実施の形態と同様に測光素子を設けてもよいが、前記のＣＣＤなどを使った撮像素子３３を測光素子として兼用することもできる。つまり、撮像を行うとともに、信号の大きさと蓄積時間より、各画素における被写体の輝度を求める事ができる。またこの機能は被写界のすべての領域の測距を行なうことでも可能である。すなわち距離が近いか遠いかによって閃光の届く領域か届かない領域かを判別する。
【００３６】
背景を暗く表示するには、前記画像表示装置３４の画素のうち、上記の方法で求めた閃光の届かない被写界領域に対応する画素の輝度を抑えるように画像信号を処理し表示する。もしくは閃光の届く被写界領域に対応する画素の輝度を上げるように画像信号を処理し、背景を主要被写体より相対的に暗く表示してもよい。これにより背景が主要被写体に対して、眼で見るより暗く写ってしまうことを直感的に撮影者に伝える。
【００３７】
前述のように、タ景や夜景などの撮影時に通常の閃光撮影をすると近距離に被写体のある領域が背景に対して明るく写り、近距離に被写体の無い領域すなわち背景は眼で見る以上に暗く写るので、撮影意図として背景を写し込みたいときには不適当となる。この場合閃光撮影をしなければ背景も写し込むことができる。そこで第１、第２実施の形態と同様に、通常の閃光撮影時では前記表示装置上で近距離に被写体の無い領域を暗く表示し、閃光撮影を行なわない時は全体を比較的明るく表示するようにする。こうすることにより、閃光撮影時に背景が暗くなってしまうことを、撮影時にファインダ上もしくは表示装置上で撮影者に伝えることができる。
【００３８】
この場合の制御の流れを図５に示す。Ｓ１１で閃光発光モードかどうか調べる。閃光発光モードでなければＳ１４に進み、表示装置上で被写界全体を比較的明るく表示する。閃光発光モードであれぱＳ１２に進む。Ｓ１２では近距離に被写体のある領域と、近距離に被写体の無いすなわち背景との判別を行ない、Ｓ１３に進む。Ｓ１３では表示装置上で、背景に対応する領域を暗く表示する。
【００３９】
また、前述のようにスローシンクロ撮影を行うと、タ景や夜景などの撮影時でも、背景が通常の閃光撮影時に比べ明るく写り、主被写体と背景のバランスのとれた写真が撮影可能である。そこで第１および第２実施の形態と同様に、通常の閃光撮影時では前記表示装置上で閃光の到達可能な距離に被写体がある領域を暗く表示し、スローシンクロ撮影を行なうときには全体を比較的明るく表示するようにする。こうすることにより、撮影結果に近い表示を行なうことができ、スローシンクロ撮影の効果を、撮影時にファインダ上もしくは表示装置上で撮影者に伝えることができる。
【００４０】
この場合の制御の流れを図６に示す。シャッタボタンを半押しすることにより、電源をオンにしてスタートする。先ずステップＳ２１で閃光発光モードかどうか調べる。閃光発光モードでないとき、ステップＳ２５に進む。閃光発光モードの時はステップＳ２２に進む。ステップＳ２２でスローシンクロ撮影モードかどうか調べる。スローシンクロ撮影モードの時はステップＳ２５に進み、表示装置上で被写界全体を比較的明るく表示する。スローシンクロ撮影モードでなけれぱステップＳ２３に進む。ステップＳ２３では閃光の到達可能な距離に被写体のある領域と、閃光の到達不可能な距離に被写体があり近距離に被写体の無い領域すなわち背景との判別を行ない、ステップＳ２４に進む。ステップＳ２４では表示装置上で、背景に対応する領域（第２領域）を暗く表示する。
【００４１】
また、通常の閃光撮影、スローシンクロ撮影、閃光撮影をしない時、の三つの場合を区別して表示するために、表示装置上で、背景を閃光の到達可能な近距離に被写体がある領域に比べて、スローシンクロ時には閃光発光しない時よりも暗く表示し、通常の閃光発光時にはスローシンクロ時よりさらに暗く表示してもよい。
【００４２】
第１、第２および第３実施の形態に記載のカメラの構成に加えて、手ぶれ補正装置を備え、手ぶれ補正を行なっているかどうかを、閃光撮影時の背景光の表示を明るく表示するか暗く表示するかの切り替えの１つの条件とする第４実施の形態について次ぎに説明する。
【００４３】
第４実施の形態では、図１、図２、図７における撮影レンズ１の中に、手ぶれ補正用光学系４１が組み込まれており、アクチユエータ４２により、フィルム面上の像のぶれを打ち消す方向に駆動することにより手ぶれの影響を小さく抑えることができる。
【００４４】
図８に手ぶれ補正機構の構成を示す概略図を示す。手ぶれ補正用光学系としては、例えば一部のレンズ群を像面にたいして平行にシフトする光学系などが使われる。カメラもしくはレンズには手ぶれを検出する手ぶれ検出用センサ４３が組み込まれており、手ぶれに対応した信号を出力し、この信号を演算部４４で演算することによって前記アクチユエータ４２の駆動のための信号を得る。演算部４４では、例えばマイコンが使われ、手ぶれに対応した信号をＡ／Ｄ変換した後にマイコンで演算し、その出力をＤ／Ａ変換することによって前記アクチュエータ４２の入力信号を得る．この信号をドライバ４５で電力増幅して、前記アクチュエータ４２を駆動する。手ぶれ補正装置以外の構成は第１、第２および第３実施の形態に記載の構成と同様である。
【００４５】
このような手振れ補正装置を備えたカメラにおいては通常よりも遅いシャッタースピードで手持ち撮影を行っても像のぶれが少ない。特にスローシンクロ撮影が可能なカメラにおいては、簡単に手持ちでスローシンクロ撮影が行える。スローシンクロ撮影時にはシャッタースピードが遅くなるので、手振れが起きやすくなり、ある程度より暗い被写体にたいしては三脚を用いなければならなかった。しかし上述の手ぶれ補正装置を使用することにより手持ち撮影でも簡単にスローシンクロ撮影を行うことができ、大きな効果がある。
【００４６】
そこで被写体が薄暗く、閃光撮影を行なう場合、手ぶれ補正がオフのとき通常閃光撮影、手ぶれ補正がオンのときスローシンクロ撮影とすることができる。このようなカメラで閃光撮影時に、手ぶれ補正がオフのとき、表示装置上で閃光の届かない領域を暗く表示し、手ぶれ補正がオンのとき、全体を比較的明るく表示すれば、手ぶれ補正の効果が撮影時に画像として撮影者に伝えることができる。
【００４７】
この制御の流れを図９に示す。例えばシャッタボタンを半押しすることにより電源スイッチをオンにし、ステップＳ３１で閃光発光モードかどうか調べる。閃光発光モードでない時は、ステップＳ３７へ進む。閃光発光モードの時はステップＳ３２へ進み、ステップＳ３２では手ぶれ補正機能がオンかどうか調べる．手ぶれ補正機能オンの時はステップＳ３６に進み、そうでない時はステップＳ３３へ進む。ステップＳ３６では撮影モードをスローシンクロ撮影モードに設定し、ステップＳ３７へ進む。ステップＳ３７では表示装置上で被写界全体を比較的明るく表示する。ステップＳ３２で手ぶれ補正機能オフの時にはステップＳ３３へ進む．ステップＳ３３では撮影モードを通常閃光発光モードにし、ステップＳ３４へ進む。
【００４８】
ステップＳ３４では近距離に被写体のある領域と、近距離に被写体の無いすなわち背景との判別を行ない、ステップＳ３５に進む。ステップＳ３５では表示装置上で、背景に対応する領域（第２領域）を暗く表示する。
【図面の簡単な説明】
【００４９】
【図１】本発明の第１実施の形態としての一眼レフカメラの構成を示す概略的構成図。
【図２】本発明の第２実施の形態としてのレンズシャッタカメラの構成を示す概略的構成図。
【図３】予備発光と他分割測光により閃光の到達可能な距離に被写体の存在する領域と閃光の到達不可能な距離に被写体の存在する領域とを判別する様子を示す図。
【図４】表示部材の光の透過率を変化させている様子を示す図。
【図５】通常の閃光発光時の表示の制御の流れを示す図。
【図６】スローシンクロ撮影を行う場合の制御の流を示す図。
【図７】本発明の第３実施の形態であるカメラの構成を示す概略図。
【図８】手ぶれ補正光学系を盛り込んだ本発明の第４実施の形態についての概略的構成図。
【図９】本発明の第４実施の形態についての制御の流れを示す図。
【符号の説明】
【００５０】
２   発光装置
７   表示部材
２１   閃光の到達可能な距離に被写体の存在する領域
２２   閃光の到達不可能な距離に被写体の存在する領域
２３   暗くする領域（第２領域）
２４   暗くしない領域（第１領域）
３３   撮像素子
３４   画像表示装置
４１   手ぶれ補正用光学系
【図１】
0004518104.tif 000002
【図２】
0004518104.tif 000003
【図３】
0004518104.tif 000004
【図４】
0004518104.tif 000005
【図５】
0004518104.tif 000006
【図６】
0004518104.tif 000007
【図７】
0004518104.tif 000008
【図８】
0004518104.tif 000009
【図９】
0004518104.tif 000010